(57)【要約】【課題】ケーブル支持管同士を強固に接合することで、雨水の浸透や地震等による地盤の変動の外力に対しても離反することのない強度性を有するケーブル支持管接合具を提供する。【解決手段】ケース本体１を構成する下ケース２は底板２Ａを有し、対向する側板２Ｄ、２Ｅの上縁側に半円状の下切欠き２Ｆが形成してある。下ケース２に積重する上ケース３は、対向する側板３Ｃ、３Ｄの下縁側に下切欠き２Ｆと照合する半円状の上切欠き３Ｅが形成してある。ケース本体１の上端は蓋体４によって施蓋する。一方のケーブル支持管１１と他方のケーブル支持管を接合して接合部位に粘着テープ１３を巻回した後、ケース本体１内に硬化剤を充填して蓋体４で施蓋する。【選択図】図５
0003178730.tif 000002
【実用新案登録請求の範囲】
【請求項１】
一方のケーブル支持管と他方のケーブル支持管を接合するためのケーブル支持管接合具であって、ケース本体は対向する側板の上縁側に半円状の下切欠きを形成した有底の下ケースと、対向する側板の下縁側に半円状の上切欠きを前記下切欠きと照合するように形成し、該下ケース上に載置する上ケースとから構成し、該ケース本体は蓋体により上方開口を施蓋するようにし、前記下ケース内で前記一方のケーブル支持管の後端と他方のケーブル支持管の先端を突合せた状態にして前記上ケースを搭載してケース本体を形成し、該ケース本体内に硬化剤を充填した後ケース本体を前記蓋体で施蓋するようにしてなるケーブル支持管接合具。
【請求項２】
前記一方のケーブル支持管と他方のケーブル支持管の接合部位は粘着テープを巻回して固定することを特徴とする請求項１記載のケーブル支持管接合具。
【考案の詳細な説明】
【技術分野】
【０００１】
本考案は、例えば地中に敷設する送電ケーブル、通信ケーブル等の各種のケーブルを保護するケーブル支持管を他のケーブル支持管と確実、かつ強固に接合するためのケーブル支持管接合具に関する。
【背景技術】
【０００２】
地中に敷設する通信用ケーブルや送電用ケーブル等のケーブルは、地盤に浸透する雨水による腐食や動物が咬むことによる断線を防止するために防水性と強度性のあるケーブル支持管に挿通して埋設している。この場合、ケーブル自体が長尺であることからケーブル支持管も他のケーブル支持管と接合して延長する必要がある。
【０００３】
従来、ケーブル支持管の接合に関して専用の用具は無かったことから、ケーブル支持管の接合部分にビニールテープ等の粘着性絶縁テープを巻着する方法が採られている。
【先行技術文献】
【特許文献】
【０００４】
【特許文献１】見出せず
【考案の概要】
【考案が解決しようとする課題】
【０００５】
上述した粘着テープを用いる接続する従来技術は、粘着テープを上手に巻回しないと管内部への雨水の浸透を防止できないという問題、地震等の地盤の変動によるケーブル支持管に働く離反方向への外力に対して強度性が無いために接合部分に亀裂が入って雨水が浸透するという問題や断線してしまうという問題がある。しかし、この問題を解決する提案はなされていない。
【０００６】
本考案は上述した従来技術の諸欠点に鑑みなされたもので、地震や大雨等による地盤の変動に対する強度性を有し、防水性にも優れており、しかも接合作業が簡単で工期も短縮できるケーブル支持管接合具を提供することを目的とする。
【課題を解決するための手段】
【０００７】
上述した課題を解決するために構成した本考案の手段は、一方のケーブル支持管と他方のケーブル支持管を接合するためのケーブル支持管接合具であって、ケース本体は対向する側板の上縁側に半円状の下切欠きを形成した有底の下ケースと、対向する側板の下縁側に半円状の上切欠きを前記下切欠きと照合するように形成し、該下ケース上に載置する上ケースとから構成し、該ケース本体は蓋体により上方開口を施蓋するようにし、前記下ケース内で前記一方のケーブル支持管の後端と他方のケーブル支持管の先端を突合せた状態にして前記上ケースを搭載してケース本体を形成し、該ケース本体内に硬化剤を充填した後ケース本体を前記蓋体で施蓋するようにしたことにある。
【０００８】
そして、前記一方のケーブル支持管と他方のケーブル支持管の接合部位は粘着テープを巻回して固定するとよい。
【考案の効果】
【０００９】
本考案は上記の如く構成したから、下記の諸効果を奏する。
（１）ケーブル支持管同士は、ケース本体内で接合して硬化剤で固めて密閉するから、雨水の浸透による腐食を確実に防止できるし、外方からの引っ張り力に対して高い強度性を有するから断線する事故を防止できる。
（２）ケース本体内に硬化剤を注入した後速やかに蓋体で施蓋して地中に埋設できるから、硬化剤の硬化を待つことなく埋設できるので工期の短縮を図ることができる。
（３）一方のケーブル支持管と他方のケーブル支持管の接合部位は粘着テープを巻回して固定することにより、ケース本体内に硬化剤を充填中に接合が外れる事態を防止できるし、接合するケーブル支持管が互いに離反する方向に働く外力に対しても高い強度性を有する。
【図面の簡単な説明】
【００１０】
【図１】本考案の実施の形態に係るケーブル支持管接合具の使用状態説明図である。
【図２】ケーブル支持管接合具の外観斜視図である。
【図３】ケーブル支持管接合具の分解斜視図である。
【図４】ケーブル支持管接合具の接合状態の説明図である。
【図５】ケーブル支持管を接合したケース本体の縦断面図である。
【考案を実施するための形態】
【００１１】
以下、本考案の実施の形態を図面に基づき詳述する。図において、１は支持管接合具を構成する合成樹脂製のケース本体、２は該ケース本体１を構成する下ケースで、該下ケース２は四角形の底板２Ａと、該底板２Ａの四辺から起立する前、後側板２Ｂ、２Ｃと、該前、後側板２Ｂ、２Ｃの両端に連結した左、右側板２Ｄ、２Ｅとから上方が解放した有底の箱状に構成してあり、左右の側板２Ｄ、２Ｅの上側中央には半円状の下切欠き２Ｆが形成してあり、前後側板２Ｂ、２Ｃの上面には位置決め用の突起２Ｇ、２Ｇが形成してある。
【００１２】
３は上ケースで、該上ケース３は前後側板３Ａ、３Ｂと、左右側板３Ｄ、３Ｅによって上下が解放した四角形の枠体からなり、左右側板３Ｃ、３Ｄの下側中央には前記下切欠き２Ｆと対応する半円状の上切欠き３Ｅが形成してある。前、後側板３Ａ、３Ｂの下面には積重した時に下ケース２の突起２Ｇが嵌合する凹部３Ｆが形成してあり、上、下ケース２、３が位置ずれすることなく確実に積重するようにしてある。４は上ケース３の上方開口を施蓋する蓋体で、該蓋体４は上ケース３の上端に載置し、釘等の固定具によって固着するようになっている。
【００１３】
１１は通信ケーブルや送電ケーブルに被装して保護するための合成樹脂製のケーブル支持管で、該ケーブル支持管１１は先端側１１Ａをハンドホール１２の側壁部１２Ａに挿着してあり、後端側１１Ｂはケース本体１内で他方のケーブル支持管１１と接合することにより、延長するようになっている。
【００１４】
上述の構成からなる支持管接合具の作用について以下に説明する。先ず、下ケース２にハンドホール１２から延びるケーブル支持管１１の後端１１Ｂ側と接合するケーブル支持管１１の先端１１Ａ側を下ケース２内に配置し、後端１１Ｂと先端１１Ａを突き合わせ、粘着テープ１３を巻着して両ケーブル支持管１１、１１を当接した状態で連結すると共に、内部にモルタル、エポキシ樹脂等の硬化剤１４が侵入するのを防止する。次に、下ケース２の上に上ケース３を重ねて内部に硬化剤１４を流し込み、硬化したら上ケース３に蓋体４を被せて釘や接着剤で固着する。
【００１５】
上述の構成によれば、ケーブル支持管１１、１１の後端１１Ｂと先端１１Ａを接合して粘着テープ１３で連結し、接合部分の全体を硬化剤で固めた構成にしたから、地震の振動や雨水による地盤の変動にも耐える強度性を有するし、ケース本体１内に浸透した雨水がケーブル支持管１１内にまで浸透するのを確実に防止することができる。
【００１６】
また、ケース本体１内に、下ケース２から上ケース３にかけて硬化剤を充填したら蓋体４で密閉して直ちに埋設することが可能であり、硬化剤が硬化するのを待つ必要がないから工期を大幅に短縮することができる。
【符号の説明】
【００１７】
１        ケース本体
２        下ケース
２Ｆ      下切欠き
３        上ケース
３Ｅ      上切欠き
４        蓋体
１３      粘着テープ
１４      硬化剤
【図１】
0003178730.tif 000003
【図２】
0003178730.tif 000004
【図３】
0003178730.tif 000005
【図４】
0003178730.tif 000006
【図５】
0003178730.tif 000007